(57)【特許請求の範囲】
【請求項１】
レンジのバーナー部等の両側の少なくとも一方と奥側とを囲むようにして設置する形式の調理用油除けパネルであって、
ほぼ矩形形状の平板の少なくとも一方端部が折り曲げられて構成され、平板部と折曲げ平板部とからなる正面パネルと、
平板形状を有し、その一面の一部が前記折曲げ平板部に対して対向した状態でスライド可能な側面パネルとを備えた、調理用油除けパネル。
【請求項２】
前記側面パネルのスライド方向に対する両側部には縁巻が形成され、前記折曲げ平面部の両側部の各々には、前記側面パネルの前記縁巻を外方から覆う折曲げ片が形成される、請求項１記載の調理用油除けパネル。
【請求項３】
前記側面パネルの前記両側部は端部から所定範囲において互いに平行である、請求項２記載の調理用油除けパネル。
【請求項４】
前記所定範囲を除いた範囲における前記側面パネルの前記両側部の一方は、他方に向かって近づくように構成され、前記側面パネルの前記両側部の他方には、前記側面パネルの面に対して折り曲げられた折曲げ部が接続される、請求項３記載の調理用油除けパネル。
【請求項５】
前記折曲げ平板部の平板端面側の前記折曲げ片の端面は、前記平板端面に対して内方に傾斜する、請求項２から請求項４のいずれかに記載の調理用油除けパネル。
【発明の詳細な説明】
【０００１】
【発明の属する技術分野】
この発明は調理用油除けパネルに関し、特に調理中の油の飛散防止のためにコンロ部の少なくとも二方を囲むように設置される調理用油除けパネルに関するものである。
【０００２】
【従来の技術】
図９は従来の調理用油除けパネルの使用状態を示した斜視図である。
【０００３】
図を参照して、システムキッチンレンジ５０は、ビルトインコンロとして、レンジトッププレート５１に四角枠形状のガードプレート５２が埋め込まれ、その内部に複数のバーナー部５３が平面的に配置されている。バーナー部５３の各々には、鍋をその上方に配置するために五徳の脚が配置されている。更に、バーナー部５３の後方部には、グリル、オーブン等からの熱気を排出するためのグリル排気口５５が配置されている。
【０００４】
このように構成されたシステムキッチンレンジ５０のガードプレート５２における奥側とその両側の面上に調理用油除けパネル６１が配置されている。調理用油除けパネル６１は、ガードプレート５２の奥側に設置される矩形形状の正面パネル６２と、正面パネル６２の両側に回動自在に連結され、ガードプレート５２の両側上に配置される右側面パネル６３及び左側面パネル６４とから構成される。このような調理用油除けパネル６１をガードプレート５２上に配置することによって、調理中における油はね等からシステムキッチンレンジ５０の周辺のレンジトッププレート５１や壁面等の汚れを防止することが可能となる。
【０００５】
図１０は“Ｙ”部分の拡大図である。
【０００６】
図を参照して、正面パネル６２の左側面パネル６４側の端部には、板の曲げ加工によって縁巻６５ａが形成されている。一方、左側面パネル６４の正面パネル６２側の端部も同様に縁巻６６が形成されている。そして正面パネル６２の縁巻６５ａと左側面パネル６４の縁巻６６とを接触させた状態でＵ字形状のピン６７を、縁巻６５ａ及び縁巻６６の各々にその上下から挿入する。これによって正面パネル６２と左側面パネル６４とはピン６７によって連結され、縁巻６５ａ及び縁巻６６を中心として互いに回動自在の状態に連結される。
【０００７】
このようにして従来の調理用油除けパネル６１は、正面パネル６２に右側面パネル６３及び左側面パネル６４を回動自在に連結し、使用時には右側面パネル６３及び左側面パネル６４を正面パネル６２に対して直角方向に開いた状態で使用する。調理用油除けパネル６１を使用しない場合には、右側面パネル６３及び左側面パネル６４を正面パネル６２側に重ねるようにして折りたたんで収納することができる。
【０００８】
【発明が解決しようとする課題】
上記のような従来の調理用油除けパネルの構造にあっては、正面パネル６２に対して右側面パネル６３及び左側面パネル６４が回動自在となっているため使用時において調理用の鍋等が右側面パネル６３又は左側面パネル６４に接触した場合、これらは正面パネル６４に対して開く方向に移動してしまう。この移動の程度が所定の範囲を超えると調理用油除けパネル６１の側面パネルは平面視ハの字状となりその設置安定性が損なわれる。場合によっては調理用油除けパネル６１がバーナー部５３側に倒れてしまう虞れがあり、調理時における安全性が損なわれてしまう虞れがある。
【０００９】
一方、このような調理用油除けパネル６１において、右側面パネル６３又は左側面パネル６４の油除け範囲を状況に応じて変化させたいと言う要望もある。このような場合の側面パネル構造を示したのが図１１である。
【００１０】
図を参照して、正面パネル６２に対して連結される右側面パネル６９は基礎パネル７０と可動パネル７２との２つの部品により構成される。可動パネル７２はほぼ矩形形状を有しており、その上方端部及び下方端部の各々には、縁巻７３及び縁巻７４が形成されている。一方、基礎パネル７０も矩形形状を有しており、正面パネル６２側の端部には接続用の縁巻６５ｂが形成されており、さらにその上方端部及び下方端部の各々には、折曲げ片７１ａ及び折曲げ片７１ｂが形成されている。
【００１１】
この折曲げ片７１ａは可動パネル７２の縁巻７３を外側から覆うような断面形状を有しており、一方、基礎パネル７０の折曲げ片７１ｂは可動パネル７２の縁巻７４を外側から覆うような断面形状を有している。次に、可動パネル７２を基礎パネル７０に対して縁巻７３が折曲げ片７１ａに、縁巻７４が折曲げ片７１ｂに各々嵌合するように矢印の方向にセットする。これによって右側面パネル６９は必要に応じてその突き出し長さ、すなわち油除けの範囲を状況に応じて自在に調整することが可能となる。
【００１２】
しかしながらこのような側面パネルの伸縮構造を採用すると、調理用油除けパネルを構成する部品の点数が増えてしまい、コスト的に不利なものとなる。
【００１３】
そこでこのような部品点数を増加を防止するために、上記で示したような連結用のピンを用いずに正面パネルと側面パネルとを直接連結させるための構造を示したものが図１２である。
【００１４】
図を参照して、正面パネル６２の端部の縁巻７６と左側面パネル６４の端部の縁巻７７とを同一方向の曲げ加工によって形成し、これらを各々の軸方向を整列させて上下方向からこれらを係合させたものである。これによって先に示したような接続用のピン６７を不要とする。しかし、このような構造で正面パネル６２と左側面パネル６４とを連結するとしても、使用状態によって不用意に左側面パネル６４が正面パネル６２に対して開いてしまう虞れが残り、安全性に問題がある。
【００１５】
この発明は上記のような課題を解決するためになされたもので、不用意な側面パネルの正面パネルに対する回動を防止し、且つ側面パネルの突き出し長さを調整できる構造であるにも関わらず部品点数の少ない調理用油除けパネルを提供することを目的とする。
【００１６】
【課題を解決するための手段】
上記の目的を達成するために、請求項１記載の発明は、レンジのバーナー部等の両側の少なくとも一方と奥側とを囲むようにして設置する形式の調理用油除けパネルであって、ほぼ矩形形状の平板の少なくとも一方端部が折り曲げられて構成された平板部と折曲げ平板部とからなる正面パネルと、平板形状を有し、その一面の一部が折曲げ平板部に対して対向した状態でスライド可能な側面パネルとを備えたものである。
【００１７】
このように構成すると、側面パネルの正面パネルに対する開き角度が不用意に変化することはない。又、正面パネルの折曲げ平板部に対して側面パネルがスライドする。
【００１８】
請求項２記載の発明は、請求項１記載の発明の構成において、側面パネルのスライド方向に対して両側部には縁巻が形成され、折曲げ平面部の両側部の各々には、側面パネルの縁巻を外方から覆う折曲げ片が形成されるものである。
【００１９】
このように構成すると、側面パネルと折曲げ平板部との係合が安定する。
【００２０】
請求項３記載の発明は、請求項２記載の発明の構成において、側面パネルの両側部は端部から所定範囲において互いに平行とするものである。
【００２１】
このように構成すると、側面パネルは所定範囲においてスライドが可能となる。
【００２２】
請求項４記載の発明は、請求項３記載の発明の構成において、所定範囲を除いた範囲における側面パネルの両側部の一方は、他方に向かって近づくように構成され、両側部の他方には側面パネルの面に対して折り曲げられた折曲げ部が接続されるものである。
【００２３】
このように構成すると、側面パネルを折曲げ平面部に対して押し込んだとき、側面パネルの折曲げ部が折曲げ平板部の折曲げ片に当接する。
【００２４】
請求項５記載の発明は、請求項２から請求項４のいずれかに記載の発明の構成において、折曲げ平板部の平板端面側の折曲げ片の端面は、平板端面に対して内方に傾斜するものである。
【００２５】
このように構成すると、側面パネルの縁巻の端部を折曲げ片の端面の上方からセットすることが可能となる。
【００２６】
【発明の効果】
以上説明したように、請求項１記載の発明は、側面パネルの正面パネルに対する開き角度が不用意に変化しないので安定した設置状態が保持され、調理中における安全性が向上する。しかも、側面パネルが折曲げ平板に対してスライドするので、調理用油除けパネルを構成する部品点数が少なくて済み、コスト的に有利なものとなる。
【００２７】
請求項２記載の発明は、請求項１記載の発明の効果に加えて、側面パネルと折曲げ平板部との係合が安定するので、側面パネルの折曲げ平板部に対するスライド動作が円滑となる。
【００２８】
請求項３記載の発明は、請求項２記載の発明の効果に加えて、側面パネルは所定範囲においてスライド可能となるため、そのスライド範囲が明確になり取り扱いが容易となる。
【００２９】
請求項４記載の発明は、請求項３記載の発明の効果に加えて、折曲げ部が側面パネルを押し込んだときのストッパーの機能を有し、側面パネルの折曲げ平板部からの脱落を防止する。又、折曲げ部を使用時におけるコンロ部側にほぼ直角に折り曲げることによって、側面パネルに沿って落下する油等の油受けとしての効果も生じるものである。
【００３０】
請求項５記載の発明は、請求項２から請求項４のいずれかに記載の発明の効果に加えて、側面パネルの縁巻を折曲げ片の端面の上方からセットできるので、側面パネルの折曲げ平板部への取付が容易となり使い勝手が向上する。
【００３１】
【発明の実施の形態】
図１はこの発明の第１の実施の形態による調理用油除けパネルの外観形状を示した斜視図であり、図２は図１のＩＩ−ＩＩラインの断面図であり、図３は図１のＩＩＩ−ＩＩＩラインの端面図である。
【００３２】
これらの図を参照して、調理用油除けパネル１４は、ほぼ矩形形状の正面パネル１５と、正面パネル１５の両側の各々に接続される右側面パネル１６及び左側面パネル１７とから構成される。これらはいずれも薄い板厚（０．４ｍｍ）の鉄板やアルミニウム板等の金属板を曲げ加工して形成されるものである。
【００３３】
正面パネル１５は、矩形形状の平板のその両端部をほぼ直角方向に曲げることによって得られる平板部２１と、折曲げ平板部２２ａ及び折曲げ平板部２２ｂとから構成される。平板部２１の上方部は緩やかな山形形状を有しており、その端部が曲げ加工されることによって縁巻２３が形成されている。又、平板部２１の下部は同様に端部が曲げ加工されて縁巻２４が形成されている。
【００３４】
折曲げ平板部２２ａの両側部の各々には、右側面パネル１６に係合するように折曲げ片２５ａ及び折曲げ片２５ｂが形成されている。同様に折曲げ平板部２２ｂの両側部の各々には、左側面パネル１７に係合するために折曲げ片２６ａ及び折曲げ片２６ｂが形成されている。尚、折曲げ平板部２２ａと右側面パネル１６との係合及び折曲げ平板部２２ｂと左側面パネル１７との係合の詳細は後述する。
【００３５】
右側面パネル１６は上述のように平板を曲げ加工することによって形成されている。右側面パネル１６の平板部３１の後方端部から“Ａ”の範囲において両側部は互いに平行となっており、“Ｂ”の範囲においては平板部３１の両側部の一方、すなわち上部の方は下方に向かって近づくように緩やかな曲線によって構成されている。又、平板部３１の“Ｂ”の範囲の下方側は、内方に向かってほぼ直角に曲げられて折曲げ部３２を構成している。そして平板部３１の上方側端部には縁巻３３が形成され、平板部３１の下方側端部の“Ａ”の範囲においては縁巻３４が形成され、平板部３１の折曲げ部３２の端部には縁巻３５が形成されている。従って、“Ａ”の範囲の縁巻３３と縁巻３４とはその軸方向が互いに平行となっている。
【００３６】
同様に左側面パネル１７も平板の曲げ加工によって形成されており、その上方端部は縁巻４３が形成され、下方端部の正面パネル１５側には縁巻４４が形成され、下方側端部の残りの領域には折曲げ部４２が形成されており、その端部には縁巻４５が形成されている。
【００３７】
図２を参照して、折曲げ平板部２２ｂの折曲げ片２６ａは平板部４１の縁巻４３を外方から覆うように曲げ加工されている。これによって縁巻４３は、その軸方向（紙面においては貫通する方向）において折曲げ片２６ａの内面を摺動自在とされる。
【００３８】
一方、折曲げ平板部２２ｂの折曲げ片２６ｂは平板部４１の縁巻４４を外方から覆うように折り曲げられている。これによって同様に縁巻４４はその軸方向において折曲げ片２６ｂの内面を摺動自在とされている。又、平板部４１から内方に折り曲げられた折曲げ部４２の端部は縁巻４５が形成されており、これによって折曲げ部４２は使用時において平板部４１に沿って摘下する油等を受ける油受けとして機能する。
【００３９】
このように右側面パネル１６及び左側面パネル１７の各々と正面パネル１５とが係合するため、図３に示すように平板部３１と折曲げ平板部２２ａとが対向した状態で平板部３１すなわち右側面パネル１６が正面パネル１５に対してスライド可能となる。同様に平板部４１と折曲げ平板部２２ｂとが対向した状態で左側面パネル１７が正面パネル１５に対してスライド可能となる。
【００４０】
従って、平板部３１の面と平板部２１の面とがなす角度、すなわちこの実施の形態においては９０°は常に変わらない。同様に平板部４１の面と平板部２１の面とがなす角度も常に変わらない。そのため使用時において鍋等が右側面パネル１６や左側面パネル１７に接触したとしても、正面パネル１５に対して側面パネルが従来のように広がる虞れがなく、常に安定した設置状態を保つことが可能となる。
【００４１】
図４は図１で示された調理用油除けパネル１４の折曲げ平板部２２ａと右側面パネル１６との係合前の状態を示した側面図であり、図５は図４の“Ｘ”部の係合開始状態を示した拡大図である。
【００４２】
図２で示したように右側面パネル１６を折曲げ平板部２２ａに係合させるには、右側面パネル１６の両側部の縁巻３３及び縁巻３４を折曲げ平板部２２ａの両側部の折曲げ片２５ａ及び折曲げ片２５ｂの各々に対して挿入させる必要がある。又、図２で示されているように縁巻３３及び縁巻３４は、折曲げ平板部２２ａとの係合状態においては折曲げ片２５ａ及び折曲げ片２５ｂの各々によって外側から覆われた状態となっている。
【００４３】
従って、図４の矢印に示す方向から縁巻３３及び縁巻３４を折曲げ片２５ａ及び折曲げ片２５ｂに挿入させるのは、上下の逃げ（遊び代）がないため容易ではない。しかしこの実施の形態においては図５に示すように折曲げ片２５ｂの端面２８は折曲げ平板部２２ａの平板端面２９に対して整列しておらず、角度θで内方側に傾斜するように折曲げ片２５ｂが形成されている。尚、このθの角度は３０〜４５°の範囲にあることが好ましい。
【００４４】
このように折曲げ片２５ｂの端面２８を形成することによって、二点鎖線で示されている傾けた平板部３１の縁巻３４の端部を平板端面２８の上方側からセットすることが容易となる。そして、縁巻３４の端部を折曲げ片２５ｂに端面２８からセットした後、平板部３１を正立状態に戻せば平板部３１の縁巻３３も容易に折曲げ片２５ａ内に挿入することが可能となる。これによって正面パネル１５に右側面パネル１６及び左側面パネル１７をセットすることが容易となり、使い勝手が向上する。
【００４５】
尚、この実施の形態では、折曲げ平板部２２ａの下方側の折曲げ片２５ｂの端面２８を平板端面２９に対して傾斜するようにしているが、折曲げ片２５ａについてもその端部を同様に平板端面２９に対して内方に傾斜するように形成してもよい。このようにすると、平板部３１の縁巻３３及び縁巻３４のいずれをも最初に折曲げ平板部２２ａにセットすることが可能となり、より使い勝手が向上する。
【００４６】
図６は図１で示した調理用油除けパネル１４の使用状態の一例を示した斜視図である。
【００４７】
図を参照して、システムキッチンレンジ５０はビルトインコンロとしてレンジトッププレート５１に四角枠形状のガードプレート５２が埋め込まれ、その内部に複数（図では４個）のバーナー部５３が平面的に配列されている。バーナー部５３の各々には、ポットや鍋等をその上方に載置するための五徳部として、複数の五徳の脚５４が配置されている。更に、コンロ部の後方には、レンジトッププレート５１におけるグリル、オーブン等からの熱気を排出するためのグリル排気口５５が配置されている。
【００４８】
調理用油除けパネル１４を使用する際には、正面パネル１５に右側面パネル１６及び左側面パネル１７を係合させた状態でガードプレート５２上に設置する。このとき正面パネル１５の下部はガードプレート５２の奥側の面に載置され、右側面パネル１６はガードプレート５２の右側の面に載置され、左側面パネル１７はガードプレート５２の左側の面に載置される。これによってバーナー部５３及びグリル排気口５５の後方側の壁面や両外側のレンジトッププレート５１の面を、調理時の油はねの汚れ等から防止することが可能となる。
【００４９】
尚、調理用油除けパネル１４は、ガードプレート５２の面上に載置する代わりにガードプレート５２の外側のレンジトッププレート５１上に載置して、システムキッチンレンジ５０を囲うようにして使用しても良い。
【００５０】
図７は図１で示した調理用油除けパネル１４の使用状態の他の例を示した斜視図である。
【００５１】
図を参照して、この使用例においては、調理用油除けパネル１４をガードプレート５２上に載置する点は先の使用例と同じであるが、右側面パネル１６及び左側面パネル１７の正面パネル１５に対する係合状態が先の例とは異なっている。すなわち、この使用例においては、右側面パネル１６を矢印で示す方向に押し込み、左側面パネル１７を矢印で示す方向に引き出した状態としている。このように使用時の状況に応じて右側面パネル１６及び左側面パネル１７の引き出し程度を変えることによって、より使い勝手のよいものとなる。
【００５２】
尚、右側面パネル１６の“Ａ”の範囲の両側部の縁巻３３及び縁巻３４は、先に説明したように互いに平行となっている。従って、この“Ａ”の範囲においては、右側面パネル１６が折曲げ平板部２２ａの折曲げ片２５ａ及び折曲げ片２５ｂから脱落する恐れはない。そして図に示した位置から更に右側面パネル１６を押し込もうとすると、折曲げ部３２が折曲げ平板部２２ａの下方端部に当接してそれ以上の押し込みを防止する。すなわち、折曲げ部３２は右側面パネル１６の押し込み程度を制御するストッパーとしての機能を果たし、不用意な過度の押し込みによる右側面パネル１６の折曲げ平板部２２ａからの脱落を防止する。
【００５３】
一方、左側面パネル１７については、図６に示された状態から左側面パネル１７の端部の縁巻４３及び縁巻４４が、折曲げ平板部２２ｂの折曲げ片２６ａ及び折曲げ片２６ｂにその係合が残る範囲まで引き出すことが可能となる。これによって左側面パネル１７をより手前に引き出すことが可能となり、右側面パネル１６の押し込みと共に、使用状態に応じてより細かな左右パネルの引き出し程度の調節が可能となる。
【００５４】
図８は図１で示された調理用油除けパネル１４の収納状態を示した斜視図である。
【００５５】
図を参照して、販売時における包装や不使用時における収納には、右側面パネル１６及び左側面パネル１７を正面パネル１５から分離させて行なう。すなわち、正面パネル１５の平板部２１の内面側に左側面パネル１７及び右側面パネル１６を重ねるようにして配置する。ここで右側面パネル１６の折曲げ部３２及び左側面パネル１７の折曲げ部４２の高さは、平板部２１の折曲げ平板部２２ａ，２２ｂの高さ以下である。従って、右側面パネル１６の折曲げ部３２及び左側面パネル１７の折曲げ部４２を図のように配置することによって嵩高にはならず、正面パネル１５の折曲げ平板部２２ａ及び折曲げ平板部２２ｂ内の範囲に収めることが可能となる。このようにして調理用油除けパネル１４をコンパクトに重ねて直方体形状の包装箱等に容易に収納することが可能となる。ここで正面パネル１５をその中央部において折り畳める構造にすればより全体をコンパクトに収納することができる。
【００５６】
尚、上記の実施の形態においては、正面パネルに対して右側面パネルと左側面パネルとを設けているが、用途によっては左右側面パネルの一方のみを正面パネルに接続してもよく、同様の効果を奏する。また、正面パネルにあっては折曲げ平板部が平板部の両側に接続されているため、正面パネルのみでも自立する。したがって、更に他の用途によっては、正面パネルのみを使用することも可能である。
【００５７】
又、上記の実施の形態においては、システムキッチンレンジを対象としているが、テーブルに載置する形式のガスレンジ等にも適用できることは言うまでもない。
【００５８】
更に、上記の実施の形態においては、側面パネルは載置面に対して鉛直方向に配置されているが、内方、外方のいずれかに傾斜したように配置された状態で正面パネルに対してスライドできるように構成したものでもよい。
【００５９】
更に、上記の実施の形態においては、側面パネルの下部に形成された折曲げ部を油受けとして用いるために内方側に設けているが、側面パネルを正面パネルに対して押し込む際のストッパーとして用いる目的であれば外方側に設けてもよい。
【図面の簡単な説明】
【図１】この発明の第１の実施の形態による調理用油除けパネルの外観形状を示した斜視図である。
【図２】図１のＩＩ−ＩＩラインの断面図である。
【図３】図１のＩＩＩ−ＩＩＩラインの端面図である。
【図４】図１で示した折曲げ平板部と右側面パネルの係合前の状態を示した側面図である。
【図５】図４の“Ｘ”部分の係合開始状態を示した拡大図である。
【図６】この発明の第１の実施の形態による調理用油除けパネルの使用状態の一例を示した斜視図である。
【図７】この発明の第１の実施の形態による調理用油除けパネルの使用状態の他の例を示した斜視図である。
【図８】この発明の第１の実施の形態による調理用油除けパネルの収納状態を示した斜視図である。
【図９】従来の調理用油除けパネルの使用状態を示した斜視図である。
【図１０】図９の“Ｙ”部分の拡大図である。
【図１１】図９で示した調理用油除けパネルにおいて側面パネルをスライド可能にした場合の構造を示した斜視図である。
【図１２】従来の調理用油除けパネルにおける正面パネルと側面パネルとの接続部の他の例を示した斜視図である。
【符号の説明】
１４…調理用油除けパネル
１５…正面パネル
１６…右側面パネル
１７…左側面パネル
２１…平板部
２２…折曲げ平板部
２５…折曲げ片
２６…折曲げ片
２８…端面
２９…平板端面
３１…平板部
３２…折曲げ部
３３…縁巻
３４…縁巻
４１…平板部
４２…折曲げ部
４３…縁巻
４４…縁巻
５０…システムキッチンレンジ
５３…バーナー部
尚、各図中同一符号は同一又は相当部分を示す。
【図１】
0003735232.tif 000002
【図２】
0003735232.tif 000003
【図３】
0003735232.tif 000004
【図４】
0003735232.tif 000005
【図５】
0003735232.tif 000006
【図６】
0003735232.tif 000007
【図７】
0003735232.tif 000008
【図８】
0003735232.tif 000009
【図９】
0003735232.tif 000010
【図１０】
0003735232.tif 000011
【図１１】
0003735232.tif 000012
【図１２】
0003735232.tif 000013